(57)【要約】【課題】  第１基板と第２基板の電気接続信号を、フレキシブル基板の配線を経由させると、フレキシブル基板の配線抵抗がロスとなり、性能確保が困難であった。【解決手段】  電子部品が実装された第１基板を有する第１筐体と、電子部品が実装された第２基板を有する第２筐体と、第１筐体に設けられた摺動部材、第２筐体に設けられ、摺動部材を摺動自在に保持する保持部材を含むスライドモジュールと、保持部材に配設され、第２基板と電気的に接続された導電部材である中間接点と、第１基板と電気的に接続された導電部材であって、中間接点との接触時に第１基板と第２基板を電気的に接続するコネクタとを備えたものである。【選択図】図１
2006128808.tif 000002
【特許請求の範囲】
【請求項１】
電子部品が実装された第１基板を有する第１筐体と、
電子部品が実装された第２基板を有する第２筐体と、
前記第１筐体に設けられた摺動部材、前記第２筐体に設けられ、前記摺動部材を摺動自在に保持する保持部材を含むスライドモジュールと、
前記保持部材に配設され、前記第２基板と電気的に接続された導電部材である中間接点と、
前記摺動部材に設けられて、前記第１基板と電気的に接続された導電部材であって、前記中間接点との接触時に前記第１基板と前記第２基板を電気的に接続するコネクタとを備えたことを特徴とするスライド式携帯電話機。
【請求項２】
前記中間接点は前記第２基板のアース端子と電気的に接続され、前記コネクタは前記第１基板のアース端子と電気的に接続されていることを特徴とする請求項１に記載のスライド式携帯電話機。
【発明の詳細な説明】
【技術分野】
【０００１】
この発明は、スライド式携帯電話機の第１筐体に実装された基板と第２筐体に実装された基板間を電気接続する接続機構に関するものである。
【背景技術】
【０００２】
従来から、スライド式携帯電話は、特開２００３−１１０６７５号公報、特表２０００−５０６３２３号公報、特開２００１−１８９７８０号公報など多数提案されている。
例えば特開２００３−１１０６７５号公報（特許文献１参照）記載のスライド式携帯電話機は、掌に載る大きさの略長方形の扁平な本体と、該本体とほぼ同じ輪郭を有し、本体に重なった位置から本体の長手方向にスライド可能に取り付けられた蓋体とによって構成され、蓋体（上側筐体）に実装された基板（駆動回路基板）と本体（下側筐体）に実装された基板（メイン回路基板)とは、駆動回路基板から延び本体内のメイン回路基板のソケットに接続された接続用フレキシブル基板により接続されている。
【０００３】
【特許文献１】特開２００３−１１０６７５号公報（図４）
【特許文献２】特表２０００−５０６３２３号公報
【特許文献３】特開２００１−１８９７８０号公報
【特許文献４】特開２００３−１１０２１０号公報
【発明の開示】
【発明が解決しようとする課題】
【０００４】
従来のスライド式携帯電話機は、上記のように構成されているため、上側基板と下側基板の電気接続信号は、フレキシブル基板の配線を経由する必要があった。この時、上側基板と下側基板を接続させる信号が通常のロジック信号、すなわち一定の電圧をＯＮ／ＯＦＦに切り替える信号であれば問題ないが、携帯電話機としてのアンテナ性能及びシールド性能を確保する為、上側基板と下側基板のアース端子（ＧＮＤ信号）を接続させ、マッチングを図る必要がある場合、フレキシブル基板の配線抵抗がロスとなり、性能確保が困難となる問題があった。
【０００５】
この発明は上記のような問題点を解消するためになされたもので、上側基板と下側基板におけるアース端子（ＧＮＤ信号）等を、フレキシブル基板などの配線抵抗を持った信号線で接続することなく、直接的に接続することにより、携帯電話機のアンテナ性能及びシールド性能を向上させることを目的としている。
【課題を解決するための手段】
【０００６】
この発明に係わるスライド式携帯電話機は、電子部品が実装された第１基板を有する第１筐体と、電子部品が実装された第２基板を有する第２筐体と、前記第１筐体に設けられた摺動部材、前記第２筐体に設けられ、前記摺動部材を摺動自在に保持する保持部材を含むスライドモジュールと、前記保持部材に配設され、前記第２基板と電気的に接続された導電部材である中間接点と、前記摺動部材側に設けられて、前記第１基板と電気的に接続された導電部材であって、前記中間接点との接触時に前記第１基板と前記第２基板を電気的に接続するコネクタとを備えたものである。
【発明の効果】
【０００７】
この発明によるスライド式携帯電話機は、スライドモジュールに設けた中間接点と、この中間接点との接触時に第１基板と第２基板とを電気的に接続するコネクタとにより電気接続したので、接続用フレキシブル基板の配線抵抗によるロスが生じることなく性能が確保でき、その上、スライド開閉動作に対して両筐体基板間の耐久性（繰り返しスライド動作に耐えうる高寿命）と接触安定性（上側筐体と下側筐体のがたつきによる接触ばらつきの吸収）を確保した接続が可能となり、より高い接触信頼性が得られる効果がある。
【発明を実施するための最良の形態】
【０００８】
以下、図面に基づいて、この発明の各実施の形態を説明する。
なお、各図間において、同一符号は同一あるいは相当部分を示す。
【０００９】
実施の形態１．
この発明の実施の形態１であるスライド式携帯電話機は、
第１筐体１に電子部品が実装された第１基板６を、また第２筐体２に電子部品が実装された第２基板７をそれぞれ設けると共に両筐体１、２は、スライド式に開閉するようなされており、この両筐体間には第１筐体１側に設けられた摺動部材すなわちスライドレール１０ａと、第２筐体２側に設けられ、両筐体を開閉するためスライドレール１０ａを摺動自在に保持する保持部材すなわち案内ベース１０ｂとで構成されたスライドモジュール１０を備え、案内ベース側１０ｂに中間接点１１を設けると共に第１基板６と第２基板７とにそれぞれコネクタ１２、１３を設け両筐体１、２を開いた時、中間接点１１を介し両コネクタ１２、１３で両基板６、７を電気的に接続するようにしたものである。
【００１０】
図１から図５は、この発明の実施の形態１であるスライド式携帯電話機を示し、図５は、実施の形態１における携帯電話機の外観図を示し、図５（ａ）は第１筐体が閉じた状態（以下、閉状態という）、図５（ｂ）は、第１筐体が開いた状態（以下、開状態という）の斜視図である。
図１は、実施の形態１におけるスライド式携帯電話機の内部実装構造を示し、図１（ａ）は閉状態、図１（ｂ）は開状態を示す。
【００１１】
図１、図５に示すように、実施の形態１における携帯電話機は、第１筐体（例えば蓋体部、以下「上側筐体１」という）と第２筐体（例えば本体部、以下「下側筐体２」という）とによって構成され、上側筐体１は、下側筐体２とほぼ同じ輪郭を有し、開閉のためスライドモジュール１０により、下側筐体２に重なった位置から下側筐体２の長手方向にスライド可能に取り付けられている。
上側筐体１には、第１基板（電子部品が実装された駆動回路基板、以下「上側基板６」という）が実装され、下側筐体２には第２基板（電子部品が実装されたメイン回路基板、以下「下側基板７」という)が実装されている。これら両基板６、７は、上側基板６の駆動回路基板から延び下側筐体内のメイン回路基板のソケットに接続された接続用フレキシブル基板９により接続され、ロジック系の信号が電気的に接続される。
上側筐体１は、表示部３を備え、この表示部３は、ホルダー５によって実装保持されている。更に、ホルダー５は、上側筐体１の内部に実装されている上側基板６と嵌合保持されている。
下側筐体２は、キー操作部４を備え、下側筐体２の内部に実装されている下側基板７には、キー操作部４からの押し下げ位置に合わせスイッチシート８が貼り付けられている。
上側筐体１をスライド可能とするスライドモジュール１０は、スライドレール１０ａと案内ベース１０ｂとで構成され、案内ベース１０ｂに嵌め込まれたスライドレール１０ａは、上側筐体１に固定されて上側筐体１及び上側基板６と共動して案内ベース１０ｂ内をスライド動作する。
又、案内ベース１０ｂは、下側筐体２に固定されて下側筐体２及び下側基板７と連動して動作する。
なお、スライドモジュールを構成する際、案内ベース１０ｂとスライドレール１０ａとは、第１、第２筐体に対し逆関係にしても実施可能である。
【００１２】
次に、図２、図３、図４によって、上側基板６と下側基板７との接続機構を説明する。
なお、図２は、この接続機構の概略と開閉動作を示す側面図で、図２（ａ）は閉状態、図２（ｂ）は開状態を示す。
図３は、この発明の実施の形態１における接続機構の動作説明図で、図３（ａ）は両筐体の閉状態すなわち接続機構のＯＦＦ状態の拡大斜視図である。図３（ｂ）は両筐体の開状態すなわち接続機構のＯＮ状態の拡大斜視図で、後述するように上側基板６と下側基板７を直接的に電気接続させた状態を示す。
図４は、接続機構の各部品を示し、図４（ａ１）（ａ２）は中間接点１１の斜視図、図４（ｂ１）（ｂ２）は下側接続コネクタ１２の斜視図、図４（ｃ１）（ｃ２）は上側接続コネクタ１３の斜視図である。
【００１３】
上側基板６と下側基板７間に位置する中間接点１１は、図４に示すようにプレス加工された接点部１１ａを有し、図２、図３に示すように、スライドモジュール１０の案内ベース１０ｂの側面に固定され後述するように下側基板７と電気的に接続されている。なお、中間接点１１は、金属板などの導電部材から形成された接点金具として機能する。
この中間接点１１と常時接触する下側接続コネクタ（固定型）１２は、図４に示すようにバネ性を有する金属板材からなり、図２、図３に示すように下側基板７に半田接続によって固定され中間接点１１と下側基板７を常に電気的に接続している。
上側接続コネクタ（可動型）１３は、図４に示すようにバネ性を有する金属板材からなり、図４に示すようにプレス加工された接点部１３ａを有し、図２、図３に示すように上側基板６に半田接続によって固定されて上側筐体１と連動して動作する。
すなわち、この上側接続コネクタは、上側基板６と電気的に接続された導電部材であって、中間接点１１との接触時に上側基板６と下側基板７とを電気的に接続するコネクタとして機能する。
【００１４】
上記の構成において、上側筐体１と下側筐体２が閉状態の時は、図２（ａ）に示すとおり、中間接点１１と上側接続コネクタ１３は接続されず、ＯＦＦ状態である。
又、上側筐体１と下側筐体２が開状態の時は、図２（ｂ）に示すとおり、中間接点１１と上側接続コネクタ１３が接続されＯＮ状態となり、上側基板６と下側基板７の電気信号を、フレキシブル基板９を経由することなく、上側筐体１と下側筐体２の開閉動作に連動して、直接的に電気接続することが可能となる。
上側接続コネクタ１３の接点部１３ａと中間接点１１の接点部１１ａとは、上側筐体１と下側筐体２の開閉動作の都度、ＯＮ／ＯＦＦを繰り返すこととなるが、上側接続コネクタの１３ａは十分な撓み量を持たせて接触する構造とすることで、接触耐久性の向上及び圧縮ばらつきの吸収を図っている。
【００１５】
なお、この実施の形態１では、下側接続コネクタ１２を固定型とし、上側接続コネクタ１３を可動型として接続機構を構成したが、これとは逆に、下側接続コネクタ１２を可動型とし、上側接続コネクタ１３を固定型としても同様の作用効果を奏することができる。
【００１６】
実施の形態２．
図６はこの発明の実施の形態２における上側筐体の開状態すなわち接続機構がＯＮ状態における拡大斜視図で、実施の形態１の図３（ｂ）に相当するものである。
【００１７】
実施の形態１の下側接続コネクタ１２は、バネ性を有する金属板材としたが、実施の形態２における下側接続コネクタ１２は、図６に示すように導電性のクッション材で構成されている。この場合、導電性クッションによる圧縮接続構造とすることで、接触面積が拡大し、塵埃などによる接触不良を抑制させ、下側接続コネクタ１２と中間接点１１の接触信頼性を向上することができる。
【００１８】
実施の形態３．
上記の実施の形態１では、上側基板６と下側基板７の電気信号を接続することとしたが、上側基板６のアース端子（ＧＮＤ信号）と下側基板７のアース端子（ＧＮＤ信号）を直接的に電気接続する構成としても良い。すなわち、上側基板６に設けた上側接続コネクタ１３を上側基板のアース端子と電気的に接続し、下側基板７に設けた下側接続コネクタ１２を下側基板のアース端子に接続、あるいは中間接点１１を第２基板のアース端子と電気的に直接接続することにより、上側基板６と下側基板７のアース電位をマッチングさせることが可能となり、携帯電話機としてのアンテナ性能及びシールド性能を向上させることができる。
【産業上の利用可能性】
【００１９】
この発明の活用例として、携帯電話等の端末機器に利用することができる。
【図面の簡単な説明】
【００２０】
【図１】この発明の実施の形態１におけるスライド式携帯電話機の内部実装構造を示し、図１（ａ）は閉状態の斜視図、図１（ｂ）は開状態の斜視図である。
【図２】この発明の実施の形態１による接続機構の概略と開閉動作を示し、図２（ａ）は両基板の閉状態、図２（ｂ）は開状態の側面図である。
【図３】この発明の実施の形態１における接続機構の動作説明図を示し、図３（ａ）は両筐体の閉状態すなわち接続機構のＯＦＦ状態の拡大斜視図、図３（ｂ）は両筐体の開状態すなわち接続機構のＯＮ状態の拡大斜視図である。
【図４】この発明の実施の形態１における接続機構の各部品を示し、図４（ａ）は中間接点の斜視図、図４（ｂ）は下側接続コネクタの斜視図、図４（ｃ）は上側接続コネクタの斜視図である。
【図５】この発明の実施の形態１におけるスライド式携帯電話機の外観図を示し、図５（ａ）は閉状態、図５（ｂ）は開状態の斜視図である。
【図６】この発明の実施の形態２による接続機構を示し、図６（ａ）は接続機構がＯＮ状態の拡大斜視図、図６（ｂ）は下側接続コネクタ１２のみを示す斜視図である。
【符号の説明】
【００２１】
１  上側筐体                          ２  下側筐体
３  表示部                            ４  キー操作部
５  ホルダー                          ６  上側基板
７  下側基板                          ８  スイッチシート
９  フレキシブル基板                １０  スライドモジュール
１０ａ  スライドレール                １０ｂ  案内ベース
１１  中間接点                      １１ａ  接点部
１２  下側接続コネクタ                １３  上側接続コネクタ
１３ａ  接点部。
【図１】
2006128808.tif 000003
【図２】
2006128808.tif 000004
【図３】
2006128808.tif 000005
【図４】
2006128808.tif 000006
【図５】
2006128808.tif 000007
【図６】
2006128808.tif 000008